(57)【要約】【課題】  組立式建築物を実現化する、組立式ユニット及び工法の発明。【解決手段】  断面が中空の正方形、三角形、半円形、円弧形の何れかの形状であり、或いはその内の二つ以上の形状を合せ持つ断面形状である事を特徴とする、組立式ユニットが建築空間を効率的に形成する。接合用鋼材、ボルト、接続用鋼材、に拠りそれらは力の伝達機構を構成し、且つ通風採光窓を形成する。建築物は組立式ユニットを直列に接合し、それらが集積することにより実現する。【特許請求の範囲】
【請求項１】
建築用組立式ユニットにおいて、断面が中空の正方形、三角形、半円形、円弧形の何れかの形状であり、或いはその内の二つ以上の形状を合せ持つ断面形状である事を特徴とする、組立式ユニット。
【請求項２】
建築用組立式ユニットにおいて、各ユニットの両端部に接続手段が設けられていることを特徴とする請求項１に記載の組立式ユニット。
【請求項３】
前記の接続手段において、ユニット両端の全域に接合用ボルト穴を形成した、接合用鋼材を持つ請求項２に記載の組立式ユニット。
【請求項４】
前記の接続手段による接続部に、窓などの開口部が設けられている事を特徴とする請求項１から請求項３の何れかの項に記載の組立式ユニット。
【請求項５】
請求項１から請求項４までの何れかの項に記載の組立式ユニットを使用する建築工法。
【発明の詳細な説明】
【技術分野】
【０００１】    本発明は建築に使用する組立式ユニットである。
【背景技術】
【０００２】    在来工法鉄筋コンクリート造は、構造骨組として堅固で耐久性、耐震性に富む建築を実現する。【０００３】    堅固、耐久性、耐震性を保持しながら、構造物の骨組を細分化してこれを組立式ユニットに置換する事に依って、生産現場の効率化を実現する。
【発明の開示】
【発明が解決しようとする課題】
【０００４】    課題の１は建築構造骨組の効率的生産を実現化する、組立式ユニットの発明である。【０００５】    課題の２は組立式ユニットから成る構造骨組の力の伝達機構を実現化する、接合方法の発明である。【０００６】    課題の３は前記の接合方法と作業的連続性を持つ、窓など開口部の取り付け方法の発明である。【０００７】    課題の４は組立式工法の発明である。
【課題を解決するための手段】
【０００８】    課題の１を解決する手段として、発明の建築用組立式ユニットは、断面が中空の正方形、三角形、半円形、円弧形の何れかの形状であり、或いはその内の二つ以上の形状を合せ持つ断面形状を形成する。【０００９】    課題の２を解決する手段として、発明の組立式ユニットはユニット両端の全域に接合用ボルト穴が形成された接合用鋼材を形成する。【００１０】    課題の３を解決する手段として、前記の接合位置に窓などの開口部を形成する。【００１１】    課題の４を解決する手段として、組立式ユニットを直列に接合、集積することで建築空間が得られる。
【発明の効果】
【００１２】    課題の１に対応する発明の効果は、組立式ユニットの効率的生産を実現する事である。【００１３】    課題の２に対応する発明の効果は、建築構造骨組としての力の伝達機構を実現する事である。【００１４】    課題の３に対応する発明の効果は、作業工程の簡素化を実現する事である。【００１５】    課題の４に対応する発明の効果は、ボルト接合作業を主とした作業の集積に依って建築空間を実現する事である。
【発明を実施するための最良の形態】
【００１６】    建築用組立式ユニットの材料は何れでもよいが本実施例はＲＣで説明する。図１の平面図において（ａ）は接合用ボルト穴（ｂ）が形成された接合用鋼材であり（ｂ）は接合用ボルト穴である。【００１７】    図２の正面図において（ａ）は接合用ボルト穴（ｂ）が形成された接合用鋼材であり、ユニットの寸法は高さ及び横幅共に外寸で３０００ｍｍ程度である。又、材の厚みは１５０ｍｍである。【００１８】    図３の側面図において（ａ）は接合用ボルト穴（ｂ）が形成された接合用鋼材であり、（ｂ）は接合用ボルト穴である。【００１９】    図４の透視図において（ａ）は接合用ボルト穴（ｂ）が形成された接合用鋼材であり、ユニットの奥行き寸法は１２００ｍｍ程度である。【００２０】    図５の接合状況透視図において（ｃ）は接合用ボルト穴が形成された接続用鋼材であり（ｄ）は接合と同時に形成される通風採光用窓である。【００２１】    図６の接合状況透視図において（ｃ）は接合用ボルト穴が形成された接続用鋼材であり（ｄ）は接合と同時に形成される通風採光用窓である。（ｅ）は内部空間へのアプローチ部分である。【００２２】    図７の接合状況透視図はユニット接合パターンのアレンジの一例である。【００２３】    図８は完成した実施例であり、透視外観図である。
【図面の簡単な説明】
【００２４】  図１は組立式ユニットの平面図である。【００２５】  図２は組立式ユニットの正面図及び背面図である。【００２６】  図３は組立式ユニットの側面図である。【００２７】  図４は組立式）ユニットの透視外観図である。【００２８】  図５は実施例の組立式ユニット接合状況透視図である。【００２９】  図６は実施例の組立式ユニット接合状況透視図である。【００３０】  図７は実施例の完成途上の透視図である。【００３１】  図８実施例の完成透視外観図である。
【符号の説明】
【００３２】  （ａ）  接合用ボルト穴（ｂ）が形成された接合用鋼材
（ｂ）  接合用ボルト穴
（ｃ）  接合用ボルト穴が形成された接続用鋼材
（ｄ）  接合と同時に形成される通風採光用窓
（ｅ）  アプローチ部分
【図１】
2008248670.tif 000002
【図２】
2008248670.tif 000003
【図３】
2008248670.tif 000004
【図４】
2008248670.tif 000005
【図５】
2008248670.tif 000006
【図６】
2008248670.tif 000007
【図７】
2008248670.tif 000008
【図８】
2008248670.tif 000009
【手続補正書】
【提出日】平成19年6月18日(2007.6.18)
【手続補正１】
【補正対象書類名】明細書
【補正対象項目名】００２４
【補正方法】変更
【補正の内容】
【００２４】
【図１】図１は組み立て式ユニットの平面図である。
【図２】図２は組み立て式ユニットの正面図及び背面図である。
【図３】図３は組み立て式ユニットの側面図である。
【図４】図４は組み立て式ユニットの透視外観図である
【図５】図５は実施例の組み立て式ユニット接合状況透視図である。
【図６】図６は実施例の組み立て式ユニット接合状況透視図である。
【図７】図７は実施例の完成途上の透視図である。
【図８】図８は実施例の完成透視外観図である。
【手続補正２】
【補正対象書類名】明細書
【補正対象項目名】００２５
【補正方法】削除
【補正の内容】
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】